(57)【要約】【課題】撮影装置に対して十分な二次元コード画像を提供するために撮影装置の表示部への表示の位置合わせを視覚的に補助するラインを表示した二次元コードシートや暗所のような光源の少ない場所において当該撮影装置に対して補助光源を備えた二次元コードシートを提供すること。【解決手段】本考案に係る二次元コードシート１０は、所定の情報を格納した二次元コードを配置して表面に表示した表示シート２０と、前記表示シート２０の表面に表示された前記二次元コードのコード領域３０の外側に、前記コード領域の全体を撮影してコードを解析するための撮影装置５０の表示部６０が有する少なくとも二カ所の基準位置に合わせるためのライン４０を配置して表示した。【選択図】図１
0003121023.tif 000002
【実用新案登録請求の範囲】
【請求項１】
所定の情報を格納した二次元コードを配置して表面に表示した表示シートと、
前記表示シートの表面に表示された前記二次元コードのコード領域の外側に、前記コード領域の全体を撮影してコードを解析するための撮影装置の表示部が有する少なくとも二カ所の基準位置に合わせるためのラインを配置して表示した、
二次元コードシート。
【請求項２】
所定の情報を格納した二次元コードを配置して表面に表示した透明な表示シートと、
前記表示シートの裏面側から前記二次元コードが表示された領域全体を撮影してコードを解析するための撮影装置の補助光源となる蓄光シート又は蛍光シートのいずれかを前記表示シートに重ねて配置した請求項１記載の二次元コードシート。
【請求項３】
請求項１又は請求項２記載の二次元コードシートに用いられる、所定の情報を格納した二次元コードを配置して表面に表示した表示シート。
【考案の詳細な説明】
【技術分野】
【０００１】
本考案は、所定の情報を格納した二次元コードを配置して表面に表示した表示シートに関する。
【背景技術】
【０００２】
近年、従来型のバーコードの代わりに、二次元コードを利用する事例が増えているが、一般的に普及している二次元コードの撮影装置は携帯電話の撮影装置であることから、二次元コードに格納する情報は一般的にはＵＲＬであることが多い。
【０００３】
ＵＲＬを二次元コードにより提供する主たる目的は、当該ＵＲＬの宣伝広告であるが、当該宣伝広告における当該二次元コードの提供方法は、紙等の印刷可能な媒体への二次元コードの印刷に因る為、広告範囲は限られる。
【０００４】
そこで、例えば、実用新案登録３１１６３３９号公報では、当該二次元コードを印刷した紙等の媒体の裏面に粘着部を設け、当該二次元コードを印刷不可能な媒体に接着することにより、任意の箇所への貼付が可能になり、広告範囲の拡大を図ることができる。
【特許文献１】実用新案登録３１１６３３９号公報
【考案の開示】
【考案が解決しようとする課題】
【０００５】
しかしながら、特許文献１記載の従来の二次元コード提供方法によっても、二次元コードを二次元コード撮影装置に撮影させて読み取らせる手段は従来と変わらず、前記撮影装置の二次元コード認識範囲内に二次元コードが存在するかを前記撮影装置の表示部にて視覚で確認しながら行うが、当該認識範囲の全面に表示されていれば必ず読み取り可能というわけではない。そのため、前記撮影装置が読み取りを行うのに十分な画像を前記撮影装置の表示部に表示させる作業は容易な作業とはいえない。
【０００６】
また、携帯電話機等の撮影装置は、表示画面にバックライトが搭載されていることが多いことから、暗所で使用することも可能であるが、光源の少ない暗所において二次元コードは認識しにくい為、二次元コードを利用する場は二次元コードが認識できるだけの光源の有るところに限定され、携帯電話機等の暗所においても使用できるという特性を十分に活用することができない。
【０００７】
また、従来の二次元コードの利用方法では、特許文献１に記載されているようにＵＲＬのような小さい情報量に留まっており、二次元コードの情報格納能力を十分に活用しているとはいえない。
【０００８】
そこで、上記の問題点を鑑み、本考案の目的は、前記撮影装置に対して十分な二次元コード画像を提供するために前記撮影装置の表示部への表示の位置合わせを視覚的に補助するラインや暗所のような光源の少ない場所において当該撮影装置に対して補助光源を備えた二次元コードシートを提供することにある。
【課題を解決するための手段】
【０００９】
そこで、本考案に係る二次元コードシートは、所定の情報を格納した二次元コードを配置して表面に表示した表示シートと、前記表示シートの表面に表示された前記二次元コードのコード領域の外側に、前記コード領域の全体を撮影してコードを解析するための撮影装置の表示部が有する少なくとも二カ所の基準位置に合わせるためのラインを配置して表示したことを特徴とする。
【００１０】
また、本考案に係る二次元コードシートは、所定の情報を格納した二次元コードを配置して表面に表示した透明な表示シートと、前記表示シートの裏面側から前記二次元コードが表示された領域全体を撮影してコードを解析するための撮影装置の補助光源となる蓄光シート又は蛍光シートのいずれかを前記表示シートに重ねて配置してもよい。
【００１１】
さらに、本考案に係る表示シートは、上記した二次元コードシートに用いられる表示シートであって、所定の情報を格納した二次元コードを配置して表面に表示したことを特徴とする。
【考案の効果】
【００１２】
本考案に係る二次元コードシートは、二次元コードの周囲にラインを配置しているので、撮影が容易になる。
【考案を実施するための最良の形態】
【００１３】
図１は、本考案の第一の実施の形態に係る二次元コードシート１０の外観と、撮影装置５０の表示部６０に二次元コードが撮影された状態を示す図である。本明細書における所定の情報には、駅に配置された時刻表情報等の公共的な情報や、旅館の情報、レストランの情報、名所案内等、広告として知らしめる目的の種々の情報を含み、これら種々情報の中から当該情報の一部のみを選別して格納するようにしてもよい。以下、駅に配置された時刻表に掲載されている情報を取り上げて説明するが、本考案に係る二次元コードシートはその情報の内容によって限定されるものではない。
【００１４】
図１（ａ）には、交通機関の時刻表情報を格納した二次元コードを配置して表面に表示した表示シート２０と、前記表示シートの表面に表示された前記二次元コードのコード領域３０の外側に、前記コード領域の全体を撮影してコードを解析するための撮影装置５０の表示部６０が有する少なくとも二カ所の基準位置７０に合わせるためのライン４０を配置して表示した、二次元コードシート１０が図示されている。表示シート２０は、交通機関の時刻表情報を格納した二次元コードを配置して表面に表示することができる。
【００１５】
ここで二次元コードはマトリックス方式によるものであって、従来の一次元コードであるバーコードより多くの情報量を格納し、より多くの文字種を表現し、より小さいスペースに印字し、より早く読み取ること等を可能にしている。例えばＱＲコードを用いることができる。なお、二次元コードを表示シート２０の表面に表示する方法は、印刷でもよいし、二次元コード領域を印刷したシールを表示シート２０に貼り付けるようにしてもよい。
【００１６】
また、二次元コードの表示のために用いる表示シート２０は、紙を材質とするものに限定されず、ポリプロピレン、アクリル、ポリエステル、塩化ビニルといった薄手のシート状に加工できる合成樹脂でもよい。材質としては、硬質なものでも軟質なものでもよく、その材質は問われない。表示シート２０の裏面側は壁等に貼るためのシールを備えることも任意である。また、表示シート２０は透明、不透明いずれでもよい。透明なものを用いる場合には、裏面からの光によって二次元コードが見やすくなる。よって、透明なものを用いる場合には、光を透過する性質のものであれば足り、磨りガラスのようなものでもよい。
【００１７】
かかる表示シート２０の表面に、ライン４０が、前記表示シートの表面に表示された前記二次元コードのコード領域３０の外側に、配置して表示されている。このライン４０は、前記二次元コードを囲うラインであればよいのはもちろんであるが、後述するように少なくとも撮影装置によって撮影を行うためのガイドとして機能すればよく、当該ライン４０の形状は問われない。
【００１８】
また、前記コード領域３０の外側に配置して表示されるライン４０の色彩は赤、青、黄、緑といった任意の色彩に設定することができる。さらに、例えば、当該ライン４０に用いるためのインクは、蓄光インクや蛍光インクを使用して表示させることもできる。その場合には、当該ライン４０を光源の弱い場所において発光又は反射させることにより、当該二次元コード領域３０の視認性を向上させることができる。
【００１９】
前記ライン４０は、前記コード領域３０の全体を撮影してコードを解析するための撮影装置５０の表示部６０が有する少なくとも二カ所の基準位置７０に合わせるように配置する。少なくとも二カ所の位置が決まれば撮影が容易になるためである。このため、ライン４０の形状は何ら限定されず、例えば、コード領域３０を囲うラインでなくともよい。コード領域３０を平行に挟んで配置するラインでもよいし、四隅に短いラインを配置してもよい。さらにライン４０は、単なる直線で構成されるものの他、そのラインに模様をつけたりすることや、四角形、五角形等の多角形、楕円形のような曲線から構成される図形とすることも任意である。
【００２０】
図１（ｂ）に示すように、当該二次元コード領域３０の外側に前記ライン４０を配置した二次元コードシート１０を撮影する場合には、例えば携帯電話機に代表される撮影装置５０の表示部６０に二次元コード領域３０の外側に配置されたライン４０を当該撮影装置５０の表示部６０の外枠７０に合わせることが可能となり、撮影がより容易になる。
【００２１】
また、図１（ｂ）に示すように、撮影装置５０の表示部６０に撮影用の位置決めマーク７５が配置されているような撮影装置の場合には、当該位置決めマーク７５とライン４０を合わせやすくなるために、撮影がより容易になる。
【００２２】
撮影がより容易になることで、撮影装置５０の表示部６０内に確実に二次元コード領域３０が含まれた状態で撮影をすることが可能となるため、当該撮影装置５０によって読み取られたコードのコード解析をより確実なものとすることができる。
【００２３】
図２は、本考案に係る第二の実施の形態に係る二次元コードシート１０の全体の構成を示した図である。図２には、表示シート２０のバックライトとして機能する背面シート２１０を表示シート２０の背面に配置した構成が示されており、所定の情報を格納した二次元コードを配置して表面に表示した透明な表示シート２０と、前記表示シート２０の裏面側から前記二次元コードが表示された領域全体を撮影してコードを解析するための撮影装置５０の補助光源となる蓄光シート又は蛍光シートのいずれかからなる背面シート２１０を前記表示シート２０に重ねて配置した二次元コードシート１０が図示されている。背面シート２１０としては、蓄光シートや蛍光シートを用いることができる。
【００２４】
図２（ａ）には、二次元コード領域３０及びライン４０を透明な表示シート２０の表面に配置し、補助光源となる蓄光シート又は蛍光シートのいずれかからなる背面シート２１０を前記透明な表示シート２０の裏面側から配置し、最表面に保護シート２００を配置した構成が示されている。かかる二次元コード領域３０及びライン４０の配置は透明な表示シート２０に直接印刷してもよいし、別途シールを作成して貼り付けるようにしてもよい。
【００２５】
図２（ｂ）は、二次元コード領域３０及びライン４０を透明な表示シート２０の裏面に配置し、さらに、補助光源となる蓄光シート又は蛍光シートのいずれかからなる背面シート２１０を前記透明な表示シート２０の裏面側から配置し、最上面に保護シート２００を配置した構成が示されている。かかる二次元コード領域３０及びライン４０の配置もまた、透明な表示シート２０に直接印刷してもよいし、別途シールを作成して貼り付けるようにしてもよい。なお、図２において表示シート２０が透明であることの意味は、裏面からの補助光源が機能し得る程度に透明であることと、裏面から二次元コード領域を表示させた場合にそのコードを撮影装置が撮影して解析が可能になる程度に透明であることである。従って、その意味で透明であればよく、着色の有無、半透明であるか否かによって、表示シート２０が透明であるか否かは左右されない。
【００２６】
これにより、蓄光シート又は蛍光シートのいずれかからなる背面シート２１０が透明な表示シート２０のバックライトの役割を担い、暗所における二次元コードを撮影する撮影装置５０が二次元コードを撮影する際の補助光源となる。
【００２７】
背面シート２１０として用いられる蓄光シートに用いられる蓄光インクは、日光や蛍光灯等の光エネルギーを吸収し蓄積することで、暗所において薄い緑色の光を発光する。また、同様に背面シート２１０として用いられる蛍光シートに用いられる蛍光インクは、薄暗い際にも、僅かな光エネルギーを吸収し鮮やかな色彩を反射する。
【００２８】
これら背面シート２１０の蓄光シートや蛍光シートは、コード領域３０が配置される部分だけインクを付さずに、蓄光インクや蛍光インクの内側の縁が、ライン４０を代用するようなものにしてもよい。
【００２９】
図３は、本考案の二次元コードシートの利用の態様を示す図である。図３には、駅に配置された時刻表の情報を格納した二次元コードシート３３０に、時刻表の時間帯によって複数の二次元コード領域を表示させた状態を示している。
【００３０】
この二次元コードシート３３０を単体で持ち運び可能な媒体として機能させることにより、駅に存在する柱や壁等に任意に配置することができる。図３で示すように、駅に配置されている時刻表３１０の側に存在する柱３２０に二次元コードシート３３０を配置して利用されている状態が示されている。当該二次元コード領域に格納された時刻表情報を閲覧したい利用者は、当該二次元コードを携帯電話機内の二次元コード撮影装置により二次元コードを撮影し、当該装置によりコード解析を行わせることにより、時刻表データを容易に取得することが可能になる。
【００３１】
本考案に係る二次元コードシートのデータ格納量が時刻表すべての情報を格納できないような場合には、図３に示すように、時間帯によって複数の二次元コード領域を配置することもできる。その場合には、ライン４０の色彩を変えたり、形状、模様を変えるようにして情報を選別して格納し、瞬時に目的の二次元コードを選別できるように構成してもよい。情報の種類が異なる複数の二次元コード領域を配置して、これら複数の二次元コード領域を集めて、ライン４０の色彩等が異なる二次元コード領域を一枚の印刷物等に掲載するようにしてもよい。また、図３に示すような複数の二次元コード領域を含む二次元コードシート３３０を複数用意しておき、壁や柱等に横に並べて配置することもできる。その際の二次元コード領域の並べ方は、縦横斜め等、任意である。さらに、駅等の時刻表に隣接して掲載する場合は、時刻表の文字等が同一色で表示されたり、該当する時間帯が目立つように同一色の目印を時刻表に付すようにして必要な二次元コードシートを瞬時に選別できるようにしてもよい。
【００３２】
以上説明したように、本考案に係る二次元コードシートは、二次元コード領域の周りにラインを設けて撮影が容易になるように構成したものであり、設置場所としては各所に存在する掲示板、広告板、壁面、柱面が考えられる。これら設置場所は裏側に光源があり、照明となるような設置場所も考えられる。さらに、この二次元コードシートそのものを印刷物として他の一般的な情報を併記させつつ、チラシやポスターとして用いたりそのものを雑誌の1ページとしてもよい。
【産業上の利用可能性】
【００３３】
本考案は、本考案に係る二次元コードシートは、二次元コード領域の周りにラインを設けて撮影が容易になるように構成したので、二次元コードの活用の分野で利用できる。
【図面の簡単な説明】
【００３４】
【図１】本考案に係る第一の実施の形態に係る二次元コードシートの外観と、撮影装置の表示部に二次元コードが撮影された状態を示す図である。
【図２】本考案に係る第二の実施の形態に係る二次元コードシートの全体の構成を示した図である。
【図３】本考案の二次元コードシートの利用の態様を示す図である。
【符号の説明】
【００３５】
１０  二次元コードシート
２０  表示シート
３０  コード領域
４０  ライン
５０  撮影装置
６０  表示部
７０  外枠
７５  位置決めマーク
２００  保護カバー
２１０  背面シート
３１０  時刻表
３２０  柱
３３０  二次元コードシート
【図１】
0003121023.tif 000003
【図２】
0003121023.tif 000004
【図３】
0003121023.tif 000005